(57)【要約】【課題】仮想通貨の価値を安定させることができ、価格に予見可能性を持たせることができる通貨管理システムを提供することを目的とする。【解決手段】見合い資産を有する通貨の管理システムであり、基準時ｔ０における見合い資産の評価額Ｖ０及び評価時ｔｎにおける見合い資産の評価額Ｖｎを取得し、評価時ｔｎにおける保有通貨の数量の値を、次の（式１）で算出するように構成されたことを特徴とするシステム  評価時ｔｎにおける保有通貨の数量＝ａ×ｂ×Ｖｎ／Ｖ０・・・・（式１）【選択図】図１
2019215764.tif 000002
【特許請求の範囲】
【請求項１】
見合い資産を有する通貨の管理システムであり、基準時ｔ０における見合い資産の評価額Ｖ０及び評価時ｔｎにおける見合い資産の評価額Ｖｎを取得し、評価時ｔｎにおける保有通貨の数量の値を、次の（式１）で算出するように構成されたことを特徴とするシステム
評価時ｔｎにおける保有通貨の数量＝ａ×ｂ×Ｖｎ／Ｖ０・・・・（式１）
ここで、
Ｖ０は、基準時ｔ０における見合い資産の評価額、
Ｖｎは、評価時ｔｎにおける見合い資産の評価額、
ａは、基準時ｔ０における保有通貨数量、
ｂは、任意の定数または変数、
である。
【請求項２】
請求項１記載の通貨の管理システムであって、一定周期で見合い資産の評価額Ｖｎを取得し、かつ、保有通貨の数量を（式１）に従って算出する時点を算出時とし、算出時以前の時点であって見合い資産の評価額を取得した時点のうち算出時の直近の時点を評価時ｔｎとすることを特徴とするシステム。
【請求項３】
請求項１又は請求項２に記載の通貨管理システムであって、評価時ｔｎにおける保有通貨の数量の値、又は、評価時ｔｎにおける保有通貨の数量の値を（式１）に従って算出するプロセスが記録されることを特徴とするシステム。
【請求項４】
請求項１ないし請求項３に記載の通貨管理システムであって、基準時ｔ０における見合い資産の評価額Ｖ０及び評価時ｔｎにおける見合い資産の評価額Ｖｎをネットワーク上から取得することを特徴とするシステム。
【請求項５】
請求項１ないし請求項４に記載の通貨管理システムであって、評価時ｔｎにおける保有通貨の数量の値、又は、評価時ｔｎにおける保有通貨の数量の値を（式１）に従って算出するプロセスがネットワーク上に記録されることを特徴とするシステム
【請求項６】
請求項１ないし請求項５に記載の通貨管理システムであって、ネットワーク上に記録される評価時における保有通貨の数量の値が、未使用のトランザクションの出力（ＵＴＸＯ）の形式で記録されることを特徴とするシステム
【請求項７】
請求項１ないし請求項６に記載の通貨管理システムであって、（式１）に従って算出した評価時若しくは算出時における保有通貨の数量をコンピュータ端末に表示するように構成されたことを特徴とするシステム
【請求項８】
請求項７に記載の通貨管理システムであって、
第１のコンピュータにおいてＶ０及びＶｎをネットワーク上から取得し、第１のコンピュータにおいて評価時若しくは算出時における保有通貨の数量の値を（式）１に従って算出した後に評価時若しくは算出時における保有通貨の数量の値を第２のコンピュータに送信し、評価時若しくは算出時における保有通貨の数量の値を第２のコンピュータに接続されたコンピュータ端末に表示するように構成され
又は、
第１のコンピュータにおいてＶ０及びＶｎをネットワーク上から取得し、Ｖｎ及びＶ０の値を第１のコンピュータから第２のコンピュータに送信した後に、第２のコンピュータにおいて評価時又は算出時における保有通貨の数量の値を（式１）に従って算出し、評価時若しくは算出時における保有通貨の数量の値を第２のコンピュータに接続されたコンピュータ端末に表示するように構成されたこと
を特徴とするシステム。
【請求項９】
請求項７又は請求項８に記載の通貨管理システムであって、評価時若しくは算出時における保有通貨の数量の値を、任意の桁の有効数字で切り捨てて表示し、又は、四捨五入若しくはその他の任意のルールに従って表示することを特徴とするシステム。
【請求項１０】
請求項１ないし９記載の通貨管理システムであって、Ｖ０をネットワーク上から取得するプロセス、Ｖｎをネットワーク上から取得するプロセス、又は評価時若しくは算出時における保有通貨の数量を（式１）に従って算出するプロセス、の少なくとも一つが、スマートコントラクト化されていることを特徴とするシステム。
【発明の詳細な説明】
【技術分野】
【０００１】
本発明は、通貨管理システム、通貨管理装置、通貨管理プログラム、及び通貨管理方法等に関するものである。
【背景技術】
【０００２】
近時、円やドルなどのような法定通貨の他に、ビットコインなどに代表される仮想通貨と呼ばれる通貨が登場した。
【０００３】
通貨のうち、金貨や銀貨のように、それを作り出すのに投入される採掘費、精錬費、鋳造費といった費用により価値が決まるものは実物貨幣と呼ばれ、法定通貨や預金通貨のように、発券銀行や預金取扱金融機関が貨幣や預金の見合いに保有している国債その他の資産などにより価値が決まるものは、信用通貨と呼ばれる。
【０００４】
信用通貨は、紙の銀行券の物理的移動や銀行の預金元帳（レッジャー）上の口座間の数字の移記という形で流通している。一方、ブロックチェーン技術を用いた仮想通貨は、情報通信ネット−ワーク（インターネット）上に分散して存在する複数のコンピュータが共有する仮想レッジャーまたは中央管理期間が管理するレッジャー上の記録の真正性を担保することで、価値を移転、流通させることができる。
【０００５】
もっとも、従来の仮想通貨は、その供給量を抑制する設計となっていたため、、需要変動に対して、供給が弾力的になされず、また、価格が安定せず、価格に予見可能性がなかった。そのため、信用創造のサイクルが始まらず、投機の対象にはなるものの、仮想通貨の預金や貸出などの金融サービスは、それ自体が投機になってしまうので、安定的に存在することができなかった。。本発明は、中央管理機関が管理するレッジャー上の記録による価値の移転をする仮想通貨について、見合いとなる資産の価値変動に応じて仮想通貨発行量を調整することで、当該仮想通貨の価値の安定を図ることをも、一つの目的とするものである。
【先行技術文献】
【特許文献】
【０００６】
【非特許文献１】岩村充“中央銀行が終わる日ービットコインと通貨の未来ー”、新潮選書、２０１６
【発明の概要】
【発明が解決しようとする課題】
【０００７】
本発明は、新規な通貨管理システム、通貨管理装置、通貨管理プログラム、及び通貨管理方法を提供するものである。
【課題を解決するための手段】
【０００８】
本発明における通貨管理システムは、以下のシステムを含む。
見合い資産を有する通貨の管理システムであり、基準時ｔ０における見合い資産の評価額Ｖ０及び評価時ｔｎにおける見合い資産の評価額Ｖｎを取得し、評価時ｔｎにおける保有通貨の数量の値を、次の（式１）で算出するように構成されたことを特徴とするシステム。
評価時ｔｎにおける保有通貨の数量＝ａ×ｂ×Ｖｎ／Ｖ０・・・・（式１）
ここで、
Ｖ０は、基準時ｔ０における見合い資産の評価額、
Ｖｎは、評価時ｔｎにおける見合い資産の評価額、
ａは、基準時ｔ０における保有通貨数量、
ｂは、任意の定数または変数、
である。
【０００９】
また、本発明における通貨管理システムは、一定周期で見合い資産の評価額Ｖｎを取得し、かつ、保有通貨の数量を（式１）に従って算出する時点を算出時とし、算出時以前の時点であって見合い資産の評価額を取得した時点のうち算出時の直近の時点を評価時ｔｎとすることを特徴とするシステム
を含む。
【００１０】
また、本発明における通貨管理システムは、評価時ｔｎにおける保有通貨の数量の値、又は、評価時ｔｎにおける保有通貨の数量の値を（式１）に従って算出するプロセスが記録されることを特徴とするシステムを含む。
【００１１】
本発明における通貨管理システムは、基準時ｔ０における見合い資産の評価額Ｖ０及び評価時ｔｎにおける見合い資産の評価額Ｖｎをネットワーク上から取得することを特徴とするシステムを含む。
【００１２】
本発明における通貨管理システムは、評価時ｔｎにおける保有通貨の数量の値、又は、評価時ｔｎにおける保有通貨の数量の値を（式１）に従って算出するプロセスがネットワーク上に記録されることを特徴とするシステムを含む。
【００１３】
本発明における通貨管理システムは、ネットワーク上に記録される評価時における保有通貨の数量の値が、未使用のトランザクションの出力（Unspent Transaction Output：ＵＴＸＯ）の形式で記録されることを特徴とするシステムを含む。
【００１４】
本発明における通貨管理システムは、（式１）に従って算出した評価時若しくは算出時における保有通貨の数量をコンピュータ端末に表示するように構成されたことを特徴とするシステム
を含む。
【００１５】
本発明における通貨管理システムは、第１のコンピュータにおいてＶ０及びＶｎをネットワーク上から取得し、第１のコンピュータにおいて評価時若しくは算出時における保有通貨の数量の値を（式）１に従って算出した後に評価時若しくは算出時における保有通貨の数量の値を第２のコンピュータに送信し、評価時若しくは算出時における保有通貨の数量の値を第２のコンピュータに接続されたコンピュータ端末に表示するように構成され
又は、
第１のコンピュータにおいてＶ０及びＶｎをネットワーク上から取得し、Ｖｎ及びＶ０の値を第１のコンピュータから第２のコンピュータに送信した後に、第２のコンピュータにおいて評価時又は算出時における保有通貨の数量の値を（式１）に従って算出し、評価時若しくは算出時における保有通貨の数量の値を第２のコンピュータに接続されたコンピュータ端末に表示するように構成されたこと
を特徴とするシステム
を含む。
【００１６】
本発明における通貨管理システムは、評価時若しくは算出時における保有通貨の数量の値を、任意の桁の有効数字で切り捨てて表示し、又は、四捨五入若しくはその他の任意のルールに従って表示することを特徴とするシステムを含む。
【００１７】
また、本発明における通貨管理システムは、Ｖ０をネットワーク上から取得するプロセス、Ｖｎをネットワーク上から取得するプロセス、又は評価時若しくは算出時における保有通貨の数量を（式１）に従って算出するプロセス、の少なくとも一つが、スマートコントラクト化されていることを特徴とするシステムを含む。
【図面の簡単な説明】
【００１８】
【図１】図１は、本発明において、算出時における仮想通貨の保有数量の算出例を示す図である。
【発明を実施するための形態】
【００１９】
以下、本発明の実施形態を説明する。ただし、以下の実施形態は、発明内容の理解を助けるためのものであり、本発明を限定するものではない。
【００２０】
＜第１の通貨管理システム＞
本発明における第１の通貨管理システムは、以下のシステムを含む。
見合い資産を有する通貨の管理システムであり、基準時ｔ０における見合い資産の評価額Ｖ０及び評価時ｔｎにおける見合い資産の評価額Ｖｎを取得し、評価時ｔｎにおける保有通貨の数量の値を、次の（式１）で算出するように構成されたことを特徴とするシステム
評価時ｔｎにおける保有通貨の数量＝ａ×Ｖｎ／Ｖ０・・・・（式１）
ここで、
Ｖ０は、基準時ｔ０における見合い資産の評価額
Ｖｎは、評価時ｔｎにおける見合い資産の評価額
ａは、基準時ｔ０における保有通貨数量
である。
【００２１】
本発明における見合い資産とは、法定通貨（たとえば、円、ドル）、国債、社債、銀行券、株式、コモディティ、金融商品、仮想通貨、若しくはその他の財産的価値のうちのいずれか一つ、又はこれらの１以上の組み合わせからなる。
【００２２】
本発明における基準時とは、見合い資産の価値（額）を評価する基準となる時点ｔ０を意味する。
【００２３】
本発明における評価時ｔｎとは、見合い資産の価値（額）を評価する任意の時点を意味する。
【００２４】
本発明における見合い資産の評価額は、見合い資産となる資産ないし財産的価値の総額（たとえば、当該仮想通貨の発行者などの一定の者が保有している資産の総額など。）や一定のまとまりを持って特定される資産の総額などを基準としてもよいし、当該資産ないし財産的価値の一単位当たりの評価額を基準としてもよい。
ここでいう一単位とは、見合い資産の種類に応じて選択する任意の単位であり、たとえば、円であれば１円、ドルであれば、１ドル又は１セント、株式であれば１株、ビットコインであれば１ＢＴＣである。見合い資産ごとに一義的に決まるものではなく、たとえば、円の単位を１円としてもよいし、１０００円、１００００円、などと任意の桁を一単位としてもよい。
また、見合い資産が２種類以上ある場合の評価額の算出方法に特に限定はないが、たとえば、いずれの見合い資産についても同一資産を基準に評価することが想定される。たとえば、ドルとユーロが見合い資産となっている場合に、いずれも円を基準に評価することで、見合い資産となっているドルとユーロの合計額を、円建てで評価することができる。
【００２５】
本発明において、基準時ｔ０における見合い資産の評価額Ｖ０及び評価時ｔｎにおける見合い資産の評価額Ｖｎを取得するプロセスは、手動で行ってもよいし、自動化してもよい。
【００２６】
本発明においては、見合い資産の評価額を取得する情報源若しくは情報源となるネットーワークに特に限定はなく、たとえば、オンラインネットワーク上のデータベースであってもよい。また、見合い資産を取得するコンピュータの当該ネットワークへの接続手段は任意のものでよい。
【００２７】
また、本発明における、評価時ｔｎにおける保有通貨の数量の値は、（式１）にしたがって算出される値を意味する。たとえば、見合い資産がドルである場合で、基準時ｔ０における１ドル当たりのドルの価値が１００円であり、評価時ｔｎにおける１ドル当たりのドルの価値が１１０円であるとすると、基準時ｔ０に保有数量の値が１（ａ＝１）であり、（式１）のｂが１であるならば、仮想通貨の評価時ｔｎにおける保有数量の値は、１．１（１００円／１１０円）となる。
【００２８】
また、本発明における第１の通貨管理システムは、一定周期で見合い資産の評価額Ｖｎをネットワーク上又はデータベース等の情報源から取得し、かつ、保有通貨の数量を算出する時点を算出時とし、算出時以前の時点であって、ネットワーク上から見合い資産の評価額を取得した時点のうち算出時の直近の時点を評価時ｔｎとすることを特徴とするシステムを含む。
一定周期は、任意の周期であればよく、たとえば、１秒ごと、１分ごと、１時間ごと、４間ごと、２４時間ごと、1か月ごと、などが考えられる。たとえば、１時間ごとに評価額を取得し、３．５時間後の時点で保有通貨の数量を算出をするシステムを想定する。基準時ｔ０の１時間後をｔ１、２時間後をｔ２、３時間後をｔ３、３．５時間後を評価時ｔ４とすると、、算出時に参照される評価額Ｖｎは、ｔ３時点のＶ３になる（図１参照）。
【００２９】
さらに、本発明における第１の通貨管理システムは、評価時ｔｎにおける保有通貨の数量の値、又は、評価時ｔｎにおける保有通貨の数量の値を（式１）に従って算出するプロセスが何らかの媒体に記録されることを特徴とするシステムを含む。
【００３０】
また、特に、本発明における第１の通貨管理システムは、評価時ｔｎにおける保有通貨の数量の値、又は、評価時ｔｎにおける保有通貨の数量の値を（式１）に従って算出するプロセスがネットワーク上に記録されることを特徴とするシステムを含む。
【００３１】
評価時ｔｎにおける保有通貨の数量の値、又は、評価時ｔｎにおける保有通貨の数量の値を（式１）に従って算出するプロセスを記録する媒体ないしネットワークは、オンライン上のもの（たとえば、インターネット上のネットワーク）でもよいし、オフライン上のものでもよい。また、ネットワークが分散型台帳技術を用いたものであってもよく、たとえば、ブロックチェーン上のネットワークでもよい。
【００３２】
また、本発明における第１の通貨管理システムは、ネットワーク上に記録される評価時における保有通貨の数量の値が、未使用のトランザクションの出力（Unspent Transaction Output：ＵＴＸＯ）の形式、又は、残高データそのものを直接記録する形式で記録されることを特徴とするシステムを含む。
【００３３】
＜第２の通貨管理システム＞
本発明における第２の通貨管理システムは、見合い資産を有する通貨の管理システムであり、
第１のコンピュータにおいてＶ０及びＶｎをネットワーク上から取得し、第１のコンピュータにおいて評価時若しくは算出時における保有通貨の数量の値を（式）１に従って算出した後に評価時若しくは算出時における保有通貨の数量の値を第２のコンピュータに送信し、評価時若しくは算出時における保有通貨の数量の値を第２のコンピュータに接続されたコンピュータ端末に表示するように構成され
又は、
第１のコンピュータにおいてＶ０及びＶｎをネットワーク上から取得し、Ｖｎ及びＶ０の値を第１のコンピュータから第２のコンピュータに送信した後に、第２のコンピュータにおいて評価時又は算出時における保有通貨の数量の値を（式１）に従って算出し、評価時若しくは算出時における保有通貨の数量の値を第２のコンピュータに接続されたコンピュータ端末に表示するように構成されたこと
を特徴とするシステムを含む。
【００３４】
本発明における第２の通貨管理システムは、コンピュータ端末での表示方法が、評価時若しくは算出時における保有通貨の数量の値を、任意の桁の有効数字で切り捨てて表示し、又は、四捨五入若しくはその他の任意のルールに従って表示することを特徴とするシステムを含む。
【００３５】
本発明における第２の通貨管理システムは、Ｖ０をネットワーク上から取得するプロセス、Ｖｎをネットワーク上から取得するプロセス、又は評価時若しくは算出時における保有通貨の数量を（式１）に従って算出するプロセス、の少なくとも一つが、スマートコントラクト化されていることを特徴とするシステムを含む。
【００３６】
なお、本発明における通貨管理システムは、評価時における保有通貨の数量を、（式１）に従って算出した結果を、単にコンピュータ端末に表示するものに限られず、たとえば、任意の桁数以下の額の保有通貨を、当該通貨として付与するのではなく、その他の形態（景品類、企業ポイント、他の通貨、その他の資産または財産的価値）で付与するシステムも含む。
たとえば、見合い資産がドルである場合で、基準時ｔ０における１ドル当たりのドルの価値が１００円であり、評価時ｔｎにおける１ドル当たりのドルの価値が１１０円であるとすると、基準時ｔ０に保有数量の値が１（ａ＝１）であり、（式１）のｂが１であるならば、仮想通貨の評価時ｔｎにおける保有数量の値は、１．１（１００円／１１０円）となるが、少数点以下の０．１を、当該通貨として付与するのではなく、別の形態（たとえば、クーポンなどの景品類やポイント）として、保有者に付与するシステムも想定される。
【産業上の利用可能性】
【００３７】
本発明により、仮想通貨の価値を安定させることができ、価格に予見可能性を持たせることができる。これにより、預金や貸出などの金融サービスにも利用できる仮想通貨やこれに関連するサービスを提供できる。また、見合い資産の評価額の変動に応じて保有する仮想通貨の数が変動することは、仮想通貨に金利を付したのと同様の経済的効果を与えることができ、、（式１）におけるｂの値を様々に設計することで、より多様な仮想通貨やこれに関連するサービスを提供することができる。
【図１】
2019215764.tif 000003